(57)【要約】      （修正有）【課題】コンセントにプラグ等を差した場合、壁面からプラグが突出しないようにし、且つコンセントにプラグを差したり抜いたりしやすいコンセントボックスを提供する。【解決手段】筒状体３の一端を開口部５とし、筒状体の他端又は中間部を塞ぐようにコンセント取付板７を備え、筒状体を壁体１１に埋設するコンセントボックス１であって、コンセントボックスの開口部は壁面１３と略面一になるように壁体に埋設され、コンセント取付板の開口部側にコンセント９を備え、コンセント取付板と開口部とは、コンセントにプラグ１５を差した際にプラグが壁面から突出しない距離を有し、コンセントの電源線１７は、コンセント取付板を貫通してコンセントに接続され、筒状体の内径は、コンセント取付板に備えるコンセントにプラグを差す際に、プラグを握った手が入る大きさとする。【選択図】図３
2020087688.tif 000002
【特許請求の範囲】
【請求項１】
筒状体の一端は開口部とし、該筒状体の他端又は中間部を塞ぐようにコンセント取付板を備え、該筒状体を壁体に埋設するコンセントボックスであって、
該コンセントボックスの開口部は壁面と略面一になるように壁体に埋設され、
該コンセント取付板の開口部側にコンセントを備え、
該コンセント取付板と該開口部とは、該コンセントにプラグを差した際に該プラグが該壁面から突出しない距離を有し、
該コンセントの電源線は、該コンセント取付板を貫通して該コンセントに接続され、
該筒状体の内径は、該コンセント取付板に備える該コンセントに該プラグを差す際に、該プラグを握った手が入る大きさとすることを特徴とするコンセントボックス。
【請求項２】
前記開口部の前面には着脱自在又は開閉自在な蓋部を備え、
該蓋部には前記プラグのコードが貫通する孔を設けることを特徴とする請求項１記載のコンセントボックス。
【請求項３】
前記蓋部と前記筒状体の開口部側の端部との間に防水手段を備えることを特徴とする請求項２記載のコンセントボックス。
【請求項４】
前記コンセント取付板の開口部と反対側には、前記コンセントの電源線を覆うようにカバー部を設けることを特徴とする請求項１ないし請求項３記載のコンセントボックス。
【発明の詳細な説明】
【技術分野】
【０００１】
本発明は、壁体に埋設するコンセントボックスに関する。なお、特許請求の範囲及び明細書においてコンセントとは、電気器具等のプラグを接続するものの外に、ＬＡＮケーブル、モジュラーケーブル、テレビのアンテナケーブルを接続するものも含むものとする。プラグとは、電気器具等のプラグの外に、ＬＡＮケーブルやモジュラーケーブル、テレビのアンテナケーブルの接続部も含むものとする。電源線とは、壁体内の電気の電源線の外に壁体内のＬＡＮケーブル、モジュラーケーブル、テレビのアンテナケーブルも含むものとする。手とは、成人の手首から指先までの部分をさすものとする。
【背景技術】
【０００２】
従来、コンセントは、壁体の壁面に面一に設けられるのが一般的であるが、電気器具等のプラグを差し込むと、プラグが壁面より突出した状態になるため、邪魔になったり、電気器具や家具等を壁面にくっつけて置くことができなかったりする。
【０００３】
また、プラグを常時差した状態にしておく場合、プラグとコンセントとの接続部分にホコリが溜まったり、ヘアピンやクリップなどの金属が挟まったりして、トラッキング現象による火災事故等の原因となる。
【０００４】
そのため、特許文献１は、壁面からプラグが突出しないようにする壁埋込コンセントが開示されている。しかしながら、上記壁埋込コンセントは、コンセント部分のみが壁体内に埋設されているため、プラグを握ってコンセントに差そうとすると手が壁面に当たりコンセントにプラグを差しにくいという問題点がある。
【０００５】
また、特許文献１の壁埋込コンセントは、埋込壁面に対して、プラグの接続口が斜めになるように設けられていてプラグの接続口にホコリが溜まりにくいとしているが、プラグの接続口を斜めにしても完全にホコリが溜まることを防止することやヘアピンやクリップなどの金属が挟まることを防止することは困難であるという問題点がある。
【先行技術文献】
【特許文献】
【０００６】
【特許文献１】特開平１１−２６１１５号公報
【発明の概要】
【発明が解決しようとする課題】
【０００７】
本発明は、コンセントにプラグを差した場合に壁面からプラグが突出せず、コンセントにプラグを差したり抜いたりしやすいコンセントボックスを提供する。更には、トラッキング現象を防止するコンセントボックスを提供する。
【課題を解決するための手段】
【０００８】
上記課題を解決する本発明は次の内容のものである。
【０００９】
筒状体の一端は開口部とし、該筒状体の他端又は中間部を塞ぐようにコンセント取付板を備えるコンセントボックスであって、
該コンセントボックスの該開口部は壁面と略面一になるように壁体に埋設され、
該コンセント取付板の開口部側にコンセントを備え、
該コンセント取付板と該開口部とは、該コンセントに該プラグを差した際に該プラグが該壁面から突出しない距離を有し、
該コンセントの電源線は、該コンセント取付板を貫通して該コンセントに接続され、
該筒状体の内径は、該コンセント取付板に備える該コンセントに該プラグを差す際に、該プラグを握った手が入る大きさとする。
【００１０】
前記開口部の前面には着脱自在又は開閉自在な蓋部を備え、該蓋部には前記プラグのコードが貫通する孔を設ける。
【００１１】
前記蓋部と前記筒状体の開口部側の端部との間に防水手段を備える。
【００１２】
前記コンセント取付板の開口部と反対側には、コンセントの電源線を覆うようにカバー部を設ける。
【発明の効果】
【００１３】
本発明のコンセントボックスは壁面からプラグが突出しないので、プラグが邪魔にならず、家具や電化製品等をコンセントボックスの前面に壁面とほぼ隙間のない状態で置くことができる。また、コンセントボックス内にプラグ等を握ったまま手を入れることができるので、プラグ等の抜き差しが容易となり使いやすい。
【００１４】
本発明のコンセントボックスの開口部に蓋を備えさせることにより、コンセントにプラグを常時差し込み状態にしておく場合でもコンセントボックス内にホコリやヘアピン、クリップ等の金属等が浸入することを防止でき、トラッキング現象による火災事故等を防止することができる。
【００１５】
また、前記蓋部と前記筒状体の開口部側の端部との間に防水手段を備えさせることにより、コンセントボックス内への水の浸入を防止することができ、浴室、洗面所等の水回りや屋外において安全に使用することができる。
【００１６】
さらに、前記コンセント取付板の開口部と反対側には、コンセントの電源線を覆うようにカバー部を設けることにより、コンセントの背面にホコリが溜まることを防止したり、ネズミや害虫による該電源線の損傷等を防止したりすることができる。
【図面の簡単な説明】
【００１７】
【図１】本発明のコンセントボックスの一例を示す正面図である。
【図２】本発明のコンセントボックスに着脱自在の蓋を装着したもの一例を示す正面図である。
【図３】本発明のコンセントボックスに着脱自在の蓋を装着したもののIII−III断面図である。
【図４】本発明のコンセントボックスに開閉自在の蓋を備えたものの一例を示す断面図である。
【図５】本発明のコンセントボックス内に複数の差し込み口を備えたものの一例を示す正面図である。
【発明を実施するための形態】
【００１８】
以下、本発明の実施の形態の例について図を参照しながら説明する。尚、本発明は、以下の形態の例に限定されるものではない。
【００１９】
図１、図３に示すように、本発明のコンセントボックス１は筒状体３の一端は開口部５とし、該筒状体３の他端又は中間部を塞ぐようにコンセント取付板７を備え、該筒状体３を壁体１１に埋設する。図３は、コンセント取付板７を該筒状体３の中間部に備えさせた場合である。コンセントボックス１の開口部５は壁面１３と略面一になるように壁体１１に埋設される。コンセントボックス１を壁体１１に埋設する方法は特に限定はないが、一例として、筒状体３にフランジ２９を設け、該フランジ２９を壁面１３に固定するなどする。
【００２０】
コンセント９は該コンセント取付板７の開口部５側に備える。該コンセント取付板７と開口部５とは、該コンセント９にプラグ１５を差した際にプラグ１５が壁面１３から突出しない距離を有するようにする。これにより、プラグ１５が壁面１３から突出することがなくなり、プラグ１５が邪魔にならず、家具や電化製品等をコンセントボックス１の前面に壁面１３とほぼ隙間のない状態で置くことができる。
【００２１】
コンセント９の電源線１７は、コンセント取付板７を貫通して該コンセント９に接続される。
【００２２】
該筒状体３の内径は、該コンセント取付板７に備えるコンセント９にプラグ１５を差す際に、プラグ１５を握った手が入る大きさとする。それにより、壁面１３から埋設されたコンセント９にプラグ１５を手で握って差したり抜いたりすることができるものとなり、プラグ１５の抜き差しが容易となる。差し込み口４７の外周縁４９のうち該筒状体の内縁４１に最も近い外周縁部５１と該筒状体３の内縁４１との最短距離ａは、一例として約２５ｍｍ〜約１７０ｍｍ、好ましくは約３５ｍｍ〜約１２０ｍｍとする。また、カバープレート２５を備えるコンセント９を使用することもできる。その場合、カバープレート２５の外端縁３９のうち該筒状体の内縁４１に最も近い外端縁部５３と該筒状体３の内縁４１との間の最短距離ｂは、一例として約１０ｍｍ〜約１５０ｍｍ、好ましくは約２０ｍｍ〜約１００ｍｍとする。（図１、図５参照）
【００２３】
コンセントボックス１の開口部５の前面には、着脱自在な蓋部１９ａ（図３参照）又は開閉自在な蓋部１９ｂ（図４参照）を備えることができる。該蓋部１９ａ，ｂには、プラグ１５のコード２１が貫通する孔２３を設ける。一例として、蓋部１９ａ、ｂは、蓋材３１の表面に壁部内装材３５を施すことにより、コンセントボックス１の設置場所を壁面と一体化させて目立たなくすることができ、美観の優れたものとなる。
【００２４】
前記蓋部１９ａ、１９ｂと前記筒状体３の開口部５側の端部４３との間に防水手段３３を備えさせることができる。防水手段３３は一般に用いられる方法を用いればよく、一例として、蓋材３１の内側に防水パッキンなどの防水手段３３を設けるなどする。防水性能は少なくとも生活防水程度とするのが好ましい。該防水手段３３を備えさせることによりコンセントボックス１の内部への水の浸入を防止することができ、浴室、洗面所等の水回りや屋外においてもコンセント９が濡れる心配がなく、安全に使用することができる。
【００２５】
本発明のコンセントボックス１は、例えば、コンセント取付板７の開口部５と反対側には、コンセント９の電源線１７を覆うようにカバー部３７を設ける。カバー部３７はどのような手段で設けてもよく、一例として、図３に示すように、該コンセント取付板７を筒状体３の中間部に設け、該筒状体３の開口部３と反対側の端部４５に蓋状のカバー部３７で覆い、該カバー部３７に電源線１７を貫通させるなどする。該カバー部３７で覆うことにより、該カバー部３７の内部にホコリが溜まることを防止し、該カバー部３７の内部の電源線１７につきネズミや害虫による電源線の損傷等を防止することができる。
【符号の説明】
【００２６】
１  コンセントボックス
３  筒状体
５  開口部
７  コンセント取付板
９  コンセント
１１  壁体
１３  壁面
１５  プラグ
１７  電源線
１９ａ  蓋部
１９ｂ  蓋部
２１  コード
２３  孔
２５  カバープレート
２７  台部
２９  フランジ
３１  蓋材
３３  防水手段
３５  壁部内装材
３７  カバー部
３９  外端縁
４１  内縁
４３  端部
４５  端部
４７  差し込み口
４９  外周縁
５１  外周縁部
５３  外端縁部
【図１】
2020087688.tif 000003
【図２】
2020087688.tif 000004
【図３】
2020087688.tif 000005
【図４】
2020087688.tif 000006
【図５】
2020087688.tif 000007
【手続補正書】
【提出日】平成31年3月6日(2019.3.6)
【手続補正１】
【補正対象書類名】特許請求の範囲
【補正対象項目名】請求項１
【補正方法】変更
【補正の内容】
【請求項１】
筒状体の一端は開口部とし、該筒状体の他端又は中間部を塞ぐようにコンセント取付板を備え、該筒状体を壁体に埋設するコンセントボックスであって、
該コンセントボックスの開口部は壁面と略面一になるように壁体に埋設され、
該コンセント取付板の開口部側にコンセントを備え、
該コンセント取付板と該開口部とは、該コンセントにプラグを差した際に該プラグが該壁面から突出しない距離を有し、
該コンセントの電源線は、該コンセント取付板を貫通して該コンセントに接続され、
該筒状体の内径は、該コンセント取付板に備える該コンセントに該プラグを差す際に、該プラグを握った手が入る大きさとし、
該コンセントは、カバープレートを備えることを特徴とするコンセントボックス。
【手続補正２】
【補正対象書類名】特許請求の範囲
【補正対象項目名】請求項２
【補正方法】変更
【補正の内容】
【請求項２】
前記カバープレートの外端縁のうち前記筒状体の内縁に最も近い外端縁部と該筒状体の内縁との間の最短距離が１０ｍｍ〜１５０ｍｍであることを特徴とする請求項１記載のコンセントボックス。
【手続補正３】
【補正対象書類名】特許請求の範囲
【補正対象項目名】請求項３
【補正方法】変更
【補正の内容】
【請求項３】
前記開口部の前面には着脱自在又は開閉自在な蓋部を備え、
該蓋部には前記プラグのコードが貫通する孔を設け、
該蓋部と前記筒状体の開口部側の端部との間に防水手段を備えることを特徴とする請求項１又は請求項２記載のコンセントボックス。